(57)【要約】【課題】簡単な組み付け構造により、既存設備に対しても容易に組み付けることができる水中回転機器用油中水分計を提供する。【解決手段】油中水分計１３は、油室５のケーシング壁１０ａに外部から取り付けられる取付アダプタ１５と、取付アダプタ１５に支持されると共に取付アダプタ１５を貫通して油室５内に配置される油中水分センサ部１８ａを有する油中水分センサ１４とを備える。取付アダプタ１５は軸方向に沿って、雄ネジ部１５ｂ、六角ナット部１５ｅ、係止凹溝１５ｆ、フランジ部１５ｃを備え、油中水分センサ１４に相対回転自在に取り付けられる。【選択図】図２
2005282457.tif 000002
【特許請求の範囲】
【請求項１】
水中回転機器の油室に取り付けられ、油室内に収容された油中の水分量を検知する水中回転機器用油中水分計において、
前記水中回転機器用油中水分計は、前記油室のケーシング壁に外部から取り付けられる取付アダプタと、該取付アダプタに支持されると共に取付アダプタを貫通して油室内に配置される油中水分センサ部を有する油中水分センサとを備えてなることを特徴とする水中回転機器用油中水分計。
【請求項２】
請求項１に記載の水中回転機器用油中水分計において、
前記取付アダプタは、一方に前記ケーシング壁に形成された雌ネジ孔に螺合される雄ネジ部が備えられると共に、他方に前記油中水分センサに取り付けられるフランジ部が備えられたことを特徴とする水中回転機器用油中水分計。
【請求項３】
請求項２に記載の水中回転機器用油中水分計において、
前記取付アダプタと前記油中水分センサとが相対回転自在とされると共に、前記フランジ部を油中水分センサに相対回転自在に保持する係止部材が備えられたことを特徴とする水中回転機器用油中水分計。
【請求項４】
請求項３に記載の水中回転機器用油中水分計において、
前記取付アダプタと前記油中水分センサとの相互間が液密構造とされたことを特徴とする水中回転機器用油中水分計。
【請求項５】
請求項４に記載の水中回転機器用油中水分計において、
前記液密構造は、前記取付アダプタの前記フランジ部と、前記油中水分センサのケースおよび支持部との相互間に、シール部材が装着されてなることを特徴とする水中回転機器用油中水分計。
【請求項６】
請求項２ないし請求項５のいずれかに記載の水中回転機器用油中水分計において、
前記取付アダプタの雄ネジ部が前記ケーシング壁に設けられたドレン孔に螺合装着自在とされていることを特徴とする水中回転機器用油中水分計。
【請求項７】
請求項１ないし請求項６のいずれかに記載の水中回転機器用油中水分計において、
前記油中水分センサは、前記油中水分センサ部と前記ケーシング壁との相互間の静電容量で油中の水分量を検知する静電容量センサとされ、
前記取付アダプタは、前記雄ネジ部と前記フランジ部との間に位置して螺合操作用の締結操作部を備え、前記ケーシング壁の肉厚に対応して油中水分センサ部の前記油室内への突出長さが一定となるように、前記締結操作部の軸方向長さが異なる複数種の取付アダプタの中から選択自在とされたことを特徴とする水中回転機器用油中水分計。
【請求項８】
請求項１ないし請求項７のいずれかに記載の水中回転機器用油中水分計において、
前記水中回転機器は、前記油室の下側に回転駆動される羽根車を収容するポンプケーシングを備えた水中ポンプとされ、
前記ケーシング壁に装着された油中水分センサは、水中ポンプの平面視で前記ポンプケーシングの内側領域に配置されていることを特徴とする水中回転機器用油中水分計。
【発明の詳細な説明】
【技術分野】
【０００１】
本発明は、水中ポンプ等の水中回転機器における油室に収容された油中の水分量を検知する水中回転機器用油中水分計に関するものである。
【背景技術】
【０００２】
従来、ポンプ部とポンプ部を駆動するモータ部とを備えた水中ポンプにおいては、モータ部におけるロータやステータが配置されたモータ室内に対する水の浸入を防止すべく、モータ室とポンプ部との相互間に、メカニカルシールが配置された油室が介在された構造とされている。
【０００３】
そして、水中ポンプの長期使用や不慮の異常等によりポンプ部側から圧力水が漏れて、油室を通じてモータ室側に浸入し、ロータやステータ等に重大な損傷を招くおそれがあるため、油室に油中水分検知装置を配置し、油室に封入された油中における水分量を静電容量やインピーダンスの変化分等で予め検知して、重大な損傷を未然に防止する構造のものがあった（例えば、特許文献１または特許文献２参照。）。
【０００４】
【特許文献１】特開平９−３２９５６０号公報
【特許文献２】特開平８−３３４０９８号公報
【発明の開示】
【発明が解決しようとする課題】
【０００５】
しかしながら、上記各特許文献に開示の油中水分検知装置によれば、モータ部におけるモータ室を通じて油室に油中水分検知装置を配置する構造であり、水中ポンプ自体の構造やその組み付け構造の複雑化を招くと共に、既存設備に対してそのような構造の油中水分検知装置を容易に追加できないという問題があった。
【０００６】
そこで、本発明はこのような問題点に鑑み、簡単な組み付け構造により、既存設備に対しても容易に組み付けることができる水中回転機器用油中水分計を提供することにある。
【課題を解決するための手段】
【０００７】
上記課題を解決するための技術的手段は、水中回転機器の油室に取り付けられ、油室内に収容された油中の水分量を検知する水中回転機器用油中水分計において、前記水中回転機器用油中水分計は、前記油室のケーシング壁に外部から取り付けられる取付アダプタと、該取付アダプタに支持されると共に取付アダプタを貫通して油室内に配置される油中水分センサ部を有する油中水分センサとを備えてなる点にある。
【０００８】
また、前記取付アダプタは、一方に前記ケーシング壁に形成された雌ネジ孔に螺合される雄ネジ部が備えられると共に、他方に前記油中水分センサに取り付けられるフランジ部が備えられた構造としてもよい。
【０００９】
さらに、前記取付アダプタと前記油中水分センサとが相対回転自在とされると共に、前記フランジ部を油中水分センサに相対回転自在に保持する係止部材が備えられた構造としてもよい。
【００１０】
また、前記取付アダプタと前記油中水分センサとの相互間が液密構造とされた構造としてもよい。
【００１１】
さらに、前記液密構造は、前記取付アダプタの前記フランジ部と、油中水分センサのケースおよび支持部との相互間に、シール部材が装着されてなる構造としてもよい。
【００１２】
また、前記取付アダプタの雄ネジ部が前記ケーシング壁に設けられたドレン孔に螺合装着自在とされている構造としてもよい。
【００１３】
さらに、前記油中水分センサは、前記油中水分センサ部と前記ケーシング壁との相互間の静電容量で油中の水分量を検知する静電容量センサとされ、前記取付アダプタは、前記雄ネジ部と前記フランジ部との間に位置して螺合操作用の締結操作部を備え、前記ケーシング壁の肉厚に対応して油中水分センサ部の前記油室内への突出長さが一定となるように、前記締結操作部の軸方向長さが異なる複数種の取付アダプタの中から選択自在とされた構造としてもよい。
【００１４】
また、前記水中回転機器は、前記油室の下側に回転駆動される羽根車を収容するポンプケーシングを備えた水中ポンプとされ、前記ケーシング壁に装着された油中水分センサは、水中ポンプの平面視で前記ポンプケーシングの内側領域に配置されている構造としてもよい。
【発明の効果】
【００１５】
請求項１に記載の水中回転機器用油中水分計によれば、油室のケーシング壁に外部から取り付けられる取付アダプタと、該取付アダプタに支持されると共に取付アダプタを貫通して油室内に配置される油中水分センサ部を有する油中水分センサとを備えてなる構造であり、油中水分センサを支持する取付アダプタを油室のケーシング壁に外部から取り付けることによって組み付けることができ、既存設備に対しても容易に組み付けることができる利点がある。そして、取付アダプタを水中回転機器に応じて交換することにより、各種の水中回転機器に油中水分センサを共通使用できる利点もある。
【００１６】
また、請求項２に記載の水中回転機器用油中水分計によれば、請求項１に記載の水中回転機器用油中水分計において、取付アダプタは、一方にケーシング壁に形成された雌ネジ孔に螺合される雄ネジ部が備えられると共に、他方に前記油中水分センサに取り付けられるフランジ部が備えられた構造とされており、ケーシング壁に形成された雌ネジ孔に取付アダプタの雄ネジ部を螺合することにより容易に組み付けることができる。
【００１７】
この場合、既存のケーシング壁に雌ネジ孔を形成することによって容易に組み付けることが可能となり、ここに、既存設備に対しても容易に組み付けることができる利点がある。
【００１８】
さらに、請求項３に記載の水中回転機器用油中水分計によれば、請求項２に記載の水中回転機器用油中水分計において、取付アダプタと油中水分センサとが相対回転自在とされると共に、フランジ部を油中水分センサに相対回転自在に保持する係止部材が備えられた構造とされており、互いに連結状態とされた油中水分センサと取付アダプタとにおける取付アダプタの雄ネジ部を、油室のケーシング壁に形成された雌ネジ孔に螺合締結するに際して、油中水分センサとは独立して取付アダプタを螺合操作でき、油中水分センサから引き出されるケーブルの巻き込みが有効に防止でき、取り付けや取り外し時における作業性に優れる。
【００１９】
また、請求項４に記載の水中回転機器用油中水分計によれば、請求項３に記載の水中回転機器用油中水分計において、取付アダプタと油中水分センサとの相互間が液密構造とされており、取付アダプタと油中水分センサとの相互間からの液体の浸入が有効に防止できる。
【００２０】
さらに、請求項５に記載の水中回転機器用油中水分計によれば、請求項４に記載の水中回転機器用油中水分計において、液密構造は、取付アダプタのフランジ部と、油中水分センサのケースおよび支持部との相互間に、シール部材が装着されてなる構造とされており、シール部材によって取付アダプタと油中水分センサとの相互間からの液体の浸入が有効に防止できる。
【００２１】
また、請求項６に記載の水中回転機器用油中水分計によれば、請求項２ないし請求項５のいずれかに記載の水中回転機器用油中水分計において、取付アダプタの雄ネジ部がケーシング壁に設けられたドレン孔に螺合装着自在とされている構造とされており、ドレンプラグに換えて装着すればよく、水中回転機器用油中水分計を装着するための特別な加工も不要で、既存設備に容易に組み付けることができる。
【００２２】
さらに、請求項７に記載の水中回転機器用油中水分計によれば、請求項１ないし請求項６のいずれかに記載の水中回転機器用油中水分計において、油中水分センサは、油中水分センサ部とケーシング壁との相互間の静電容量で油中の水分量を検知する静電容量センサとされ、取付アダプタは、雄ネジ部とフランジ部との間に位置して螺合操作用の締結操作部を備え、ケーシング壁の肉厚に対応して油中水分センサ部の油室内への突出長さが一定となるように、締結操作部の軸方向長さが異なる複数種の取付アダプタの中から選択自在とされた構造とされており、油室におけるケーシング壁の肉厚が異なる水中回転機器に対しても、取付アダプタを適宜選択することによって、油中水分センサを共通使用できると共に、静電容量の検知に際して、ケーシング壁と油室内に配置される油中水分センサ部との相互間距離を略一定にできる利点がある。
【００２３】
また、請求項８に記載の水中回転機器用油中水分計によれば、請求項１ないし請求項７のいずれかに記載の水中回転機器用油中水分計において、水中回転機器は、油室の下側に回転駆動される羽根車を収容するポンプケーシングを備えた水中ポンプとされ、ケーシング壁に装着された油中水分センサは、水中ポンプの平面視でポンプケーシングの内側領域に配置されている構造とされているため、メンテナンス時における水中ポンプの引き上げ操作や据え付け操作等に際して、油中水分センサに対する他の部材等との衝突が有効に防止でき、油中水分センサの損傷防止が図れる。
【発明を実施するための最良の形態】
【００２４】
以下、本発明の実施形態を図面に基づいて説明すると、図１に示される如く、１は水中回転機器の一例としての水中ポンプで、下部にポンプ部２が配置され、該ポンプ部２の上部にポンプ部２を駆動するモータ部３が配置された構造とされ、モータ部３は上部のモータ室４と下部の油室５とに仕切られた構造とされている。
【００２５】
そして、モータ室４には、ステータ６ａ、ロータ６ｂ等からなるモータ６が収容され、モータ６の駆動軸６ｃは軸受７を介して上下方向の軸心回りに回転自在に支持されている。また、駆動軸６ｃの下部は油室５を上下方向に通過して配置され、ポンプ部２におけるポンプケーシング２ａ内に突出した駆動軸６ｃの下端部に、羽根車８が着脱自在に装着されている。
【００２６】
前記モータ部３におけるモータケーシング３ａおよび前記ポンプケーシング２ａは、本実施形態においては導電性材料、例えば鋳鉄等の金属材からなり、ポンプケーシング２ａの下部には水中ポンプ１を縦向姿勢で支持するためのスタンド９が備えられている。
【００２７】
前記油室５は、モータケーシング３ａの下部とポンプケーシング２ａの上部とにより形成される油室ケーシング１０によって構成されており、駆動軸６ｃが貫通された部分における駆動軸６ｃと油室ケーシング１０との相互間をシールすべくメカニカルシール１１が装着されると共に、油室５内には潤滑油１２が所望量収容されている。
【００２８】
そして、油室ケーシング１０の側周壁を構成するケーシング壁１０ａに形成された雌ネジ孔からなるドレン孔１０ｂに、ドレンプラグの代わりに油中水分計１３が着脱自在に装着されている。
【００２９】
この油中水分計１３は、図２ないし図５にも示される如く、センサ本体を構成する油中水分センサ１４と、この油中水分センサ１４を支持して前記ケーシング壁１０ａに外部から取り付けるための導電性材料、例えば金属材からなる取付アダプタ１５とを備えている。
【００３０】
前記油中水分センサ１４は静電容量センサからなり、有底角筒状のセンサケース１６と、静電容量検出回路が備えられた回路基板１７と、静電容量検出用のセンサ電極１８とを備えている。そして、センサ電極１８は軸方向一端部の先端電極を構成する油中水分センサ部１８ａと、この油中水分センサ部１８ａに連続し、筒状の絶縁体部１８ｂに貫通される電極部１８ｃとを備え、絶縁体部１８ｂの他端には、より大径とされた大径支持部１８ｄが形成されている。
【００３１】
また、この貫通された油中水分センサ部１８ａが電極部１８ｃを通じて前記回路基板１７の所定位置に接続された状態で、図２や図５に示される如く、回路基板１７および大径支持部１８ｄ部分がセンサケース１６内に収容されると共に回り止め状態でセンサケース１６にネジ止め等により固定されている。
【００３２】
さらに、大径支持部１８ｄの外周面およびこの外周面に対応するセンサケース１６の内周面には、それぞれ周方向に沿ったシール溝１８ｅ、１６ａが形成されると共に、各シール溝１８ｅ、１６ａにはそれぞれシール部材としてのＯリング１９、２０が装着されている。
【００３３】
また、回路基板１７位置に対応して、センサケース１６には検出信号取出用の信号ケーブル２１を連結支持するためのケーブルコネクタ２２が接続されており、回路基板１７で検出された静電容量の検出信号を信号ケーブル２１を通じて、例えば、地上に設置された制御ボックスの判定機（図示省略）に取り出し、判定機でその検出された静電容量の増減を比較器で比較し、潤滑油１２中に浸入した水分量が許容範囲かどうか等を判別し、水分混入注意報、水分混入警報、油なし警報等を出力するように制御されている。
【００３４】
前記取付アダプタ１５は、軸心方向に沿って前記センサ電極１８が貫通される嵌通孔１５ａを中心に備え、外周部の一方には前記ドレン孔１０ｂに螺合される雄ネジ部１５ｂが形成され、外周部の他方にはセンサケース１６の円形孔１６ｂに相対回転自在に嵌合されるフランジ部１５ｃが径方向外方に張出形成されている。この際、フランジ部１５ｃには絶縁体部１８ｂにおける大径支持部１８ｄが相対回転自在に嵌合される嵌合凹部１５ｄが形成されている。
【００３５】
また、取付アダプタ１５には、雄ネジ部１５ｂとフランジ部１５ｃとの間に位置して螺合操作用の締結操作部としての六角ナット部１５ｅが雄ネジ部１５ｂに連続して備えられており、この六角ナット部１５ｅとフランジ部１５ｃとの相互間には周方向環状の係止凹溝１５ｆが形成された構造とされている。
【００３６】
そして、図２に示されるように、取付アダプタ１５を油中水分センサ１４のセンサ電極１８に貫通状として、そのフランジ部１５ｃをセンサケース１６の円形孔１６ｂに嵌合させ、図４に示される如く、係止凹溝１５ｆに係止部材としての押さえ板２３を両側から嵌合させて、各押さえ板２３をセンサケース１６に着脱自在にネジ２４止めした構造とされされている。ここに、取付アダプタ１５は油中水分センサ１４に相対回転自在に抜止め保持された状態となっている。
【００３７】
また、センサケース１６における前記取付アダプタ１５のフランジ部１５ｃが嵌合される部分に位置して、回り止めネジ２６が進退自在に螺合されており、この回り止めネジ２６の弛緩により、取付アダプタ１５と油中水分センサ１４との相対回転が許容された状態となり、回り止めネジ２６の締結により、取付アダプタ１５と油中水分センサ１４とが相対回転不能に固定される構造とされている。
【００３８】
この際、フランジ部１５ｃ外周面と円形孔１６ｂ内周面との相互間はＯリング２０によりシールされ、嵌合凹部１５ｄ内周面と大径支持部１８ｄ外周面との相互間はＯリング１９によりシールされた構造とされ、内部の回路基板１７側は液密状態に保持されている。ここに、シール溝１６ａ、１８ｅ、Ｏリング１９、２０等により、フランジ部１５ｃ外周面と円形孔１６ｂ内周面との相互間、およびフランジ部１５ｃ内側の嵌合凹部１５ｄ内周面と大径支持部１８ｄ外周面との相互間をシールする液密構造が構成されている。
【００３９】
そして、油中水分センサ１４と取付アダプタ１５とが組み付けられた状態で、ケーシング壁１０ａのドレン孔１０ｂに取付アダプタ１５の雄ネジ部１５ｂが外部から螺合締結された構造とされている。また、この螺合締結後に、回り止めネジ２６が締結されて油中水分センサ１４が所定の姿勢で保持される。
【００４０】
この油中水分センサ１４の装着状態において、本実施形態では、図１にも示されるように、水中ポンプ１の平面視で、ポンプケーシング２ａの内側領域に位置して配置された構造とされている。
【００４１】
なお、図２において、取付アダプタ１５が螺合されるケーシング壁１０ａと取付アダプタ１５との相互間には、シールパッキン２７が装着されている。
【００４２】
そして、油室５内に挿入状態に配置されたセンサ電極１８の油中水分センサ部１８ａと、アース電極を構成する取付アダプタ１５を介して接続状態とされたケーシング壁１０ａとの相互間の静電容量を検出して、その静電容量の増減変化により潤滑油１２中の水分量を監視し、静電容量の増減変化に応じた警報等を出力して、重大な損傷を未然に防止する構造とされている。
【００４３】
以上のように本実施形態によれば、油中水分センサ１４に相対回転自在に取り付けられた取付アダプタ１５の雄ネジ部１５ｂを、油室５を構成するケーシング壁１０ａに形成された雌ネジ孔からなるドレン孔１０ｂに外部から螺合して所定のトルクで締め付ければ、ケーシング壁１０ａ内面から検知位置を構成する油中水分センサ部１８ａが所定の長さ挿入された状態で取り付けることができ、油中水分センサ１４の組み付け作業が容易に行える。
【００４４】
この際、ケーシング壁１０ａに設けられたドレン孔１０ｂを利用して装着する構造としているため、既存設備における水中ポンプ１に備えられたドレンプラグに換えて装着すればよく、油中水分計１３を装着するための特別な加工も不要で、既存設備に容易に組み付けることができる。従って、安価に提供でき、経済性に優れる利点もある。
【００４５】
また、油中水分センサ１４に相対回転自在に連結された取付アダプタ１５の雄ネジ部１５ｂを、ケーシング壁１０ａのドレン孔１０ｂに螺合締結するに際して、油中水分センサ１４とは独立して取付アダプタ１５を螺合操作でき、油中水分センサ１４から引き出される信号ケーブル２１の巻き込みが有効に防止でき、油中水分センサ１４の取り付けや取り外し時における作業性に優れる。
【００４６】
さらに、油室５のケーシング壁１０ａに装着された油中水分センサ１４は、水中ポンプ１の平面視で、ポンプケーシング２ａの内側領域に配置されている構造とされているため、メンテナンス時における水中ポンプ１の引き上げ操作や据え付け操作等に際して、油中水分センサ１４に対する他の部材等との衝突が有効に防止でき、油中水分センサ１４の損傷が有効に防止できる。
【００４７】
また、油中水分センサ１４と取付アダプタ１５との相互間からの水等の液体の浸入も各Ｏリング１９、２０によって有効に防止できる。
【００４８】
図６および図７は前記実施形態における取付アダプタ１５に備えられた六角ナット部１５ｅの軸方向長さＬ１が、それぞれ異なる軸方向長さＬ２、Ｌ３とされた構造とされている。そして、これら六角ナット部１５ｅの軸方向長さＬ１、Ｌ２、Ｌ３が異なる複数種の取付アダプタ１５を予め準備しておき、これらの選択自在とされた各取付アダプタ１５の中から適宜選択して、前記油中水分センサ１４と組み合わせて取り付け使用する構造としてもよい。
【００４９】
この場合、図２、図６、図７に示されるように、取り付けられる水中ポンプ１に応じて取付アダプタ１５を適宜選択することによって、油室５におけるケーシング壁１０ａの肉厚Ｔ１、Ｔ２、Ｔ３が異なる水中ポンプ１に対しても、同一種類の油中水分センサ１４を共通使用できると共に、油中水分センサ部１８ａの油室５内への突出長さが一定となるため、ケーシング壁１０ａ内面と油室５内に配置される油中水分センサ部１８ａとの相互間距離を略一定に確保でき、潤滑油１２中における水分量の検知における感度や精度が良好に維持でき、検出される静電容量に応じた潤滑油１２中の水分量の判別制御も同様に実施できる利点がある。なおこの際、雄ネジ部１５ｂの軸方向長さＳは、油室５内に突出しない範囲内で適宜長さに設定すればよい。
【００５０】
また、上記のように、六角ナット部１５ｅの各軸方向長さＬ１、Ｌ２、Ｌ３が異なる取付アダプタ１５の製造に際して、雄ネジ部１５ｂと六角ナット部１５ｅとの連続したいわゆる連続軸方向長さ（Ｓ＋Ｌ１）を一定として、異なる軸方向長さＬ１、Ｌ２、Ｌ３の六角ナット部１５ｅを有する取付アダプタ１５をそれぞれ形成する構造としてもよい。この場合、六角ナット部１５ｅの軸方向長さＬ１、Ｌ２、Ｌ３にかかわらず、油中水分センサ部１８ａの位置が雄ネジ部１５ｂの先端部より常に一定長さ突出する構造となる。
【００５１】
また、図５に示される取付アダプタ１５における雄ネジ部１５ｂの外径Ｒ１を、図８に示されるような異なる外径Ｒ２の雄ネジ部１５ｂを有する取付アダプタ１５を各種準備して選択自在な構造としてもよい。
【００５２】
この場合、取付アダプタ１５を適宜選択することによって、油室５におけるドレン孔１０ｂの雌ネジ孔の内径が異なる水中ポンプ１に対しても、同一種類の油中水分センサ１４を共通使用できる利点がある。
【００５３】
さらに、取付アダプタ１５における六角ナット部１５ｅの軸方向長さＬ１、Ｌ２、Ｌ３や、雄ネジ部１５ｂの外径Ｒ１、Ｒ２の異なる複数種を準備する構造に限らず、雄ネジ部１５ｂの軸方向長さＳが異なる複数種を準備して選択自在な構造としてもよい。
【００５４】
このように、複数種の取付アダプタ１５を予め準備して選択自在な構造としておけば、取付アダプタ１５を水中ポンプ１に応じて交換することにより、各種の水中ポンプ１に油中水分センサ１４を共通使用でき、油中水分センサ１４の量産による製造コスト削減が図れる利点もある。
【００５５】
なお、上記実施形態においては、取付アダプタ１５の螺合操作用の締結操作部を六角ナット部１５ｅとした構造を示しているが、螺合操作可能な八角形や四角形等の非円形であってもよく、六角形に何ら限定されない。
【００５６】
また、水中ポンプ１の油室５に備えられたドレン孔１０ｂに、取付アダプタ１５の雄ネジ部１５ｂを螺合する構造を示しているが、油室５のケーシング壁１０ａに別途、雌ネジ孔を形成し、その雌ネジ孔に雄ネジ部１５ｂを螺合して装着する構造であってもよい。
【００５７】
さらに、静電容量により潤滑油１２中の水分量を検知する油中水分センサ１４を使用した構造を示しているが、上記の構造に限らず、同軸円筒電極センサや対面型電極センサ等であってもよい。また、静電容量により検知するセンサに限らず、光学式センサ等の透光率の変化等により検知するセンサであってもよく、実施形態に開示のセンサに何ら限定されない。
【００５８】
また、油中水分計１３を水中ポンプ１に適用した構造を示しているが、水中ポンプ１に限らず、その他の水中回転機器にも同様に適用できる。
【図面の簡単な説明】
【００５９】
【図１】本発明の実施形態にかかる水中ポンプの断面図である。
【図２】要部拡大図である。
【図３】油中水分計の要部側面図である。
【図４】図３のIV−IV線矢視図である。
【図５】油中水分計の分解側面図である。
【図６】別の実施形態にかかる要部側面図である。
【図７】別の実施形態にかかる要部側面図である。
【図８】別の実施形態にかかる取付アダプタの側面図である。
【符号の説明】
【００６０】
１  水中ポンプ
２  ポンプ部
２ａ  ポンプケーシング
３  モータ部
５  油室
８  羽根車
１０  油室ケーシング
１０ａ  ケーシング壁
１０ｂ  ドレン孔
１１  メカニカルシール
１２  潤滑油
１３  油中水分計
１４  油中水分センサ
１５  取付アダプタ
１５ｂ  雄ネジ部
１５ｃ  フランジ部
１５ｅ  六角ナット部
１５ｆ  係止凹溝
１８  センサ電極
１８ａ  油中水分センサ部
２３  押さえ板
【図１】
2005282457.tif 000003
【図２】
2005282457.tif 000004
【図３】
2005282457.tif 000005
【図４】
2005282457.tif 000006
【図５】
2005282457.tif 000007
【図６】
2005282457.tif 000008
【図７】
2005282457.tif 000009
【図８】
2005282457.tif 000010